(57)【要約】【課題】正しいケーブル選択による正しい接続を可能とするケーブル接続ガイド処理を実行する装置および方法を提供する。【解決手段】表示部にケーブルの接続対象となる複数の端子の形状を示す端子画像データを表示し、ユーザによる端子選択情報の入力に基づいて、選択端子に適合するケーブル形状を示すケーブル画像データを表示する処理を実行する。具体的には、ケーブル接続機器の種類の選択画面、端子の形状データを含む端子選択画面、端子に対応するケーブル画像データと接続端子の対応を示すケーブル確認画面、ヒント画面などのガイド画面を、順次提示する。本構成により、容易に確実なケーブル接続を行なうことが可能となる。【選択図】図３
2008022194.tif 000002
【特許請求の範囲】
【請求項１】
ケーブルを介したデータ転送を行なう情報処理装置であり、
情報表示処理を行なう表示部と、
ケーブル接続処理のガイド情報を前記表示部に表示する制御部を有し、
前記制御部は、
前記ガイド情報の表示処理において、前記表示部にケーブルの接続対象となる複数の端子の形状を示す端子画像データを表示し、ユーザによる端子選択情報の入力に基づいて、選択端子に適合するケーブルに対応するケーブル形状を示すケーブル画像データを表示する処理を実行する構成であることを特徴とする情報処理装置。
【請求項２】
前記制御部は、
前記情報処理装置に対するケーブル接続対象となる外部機器に構成され得る複数の外部機器端子の外部機器端子画像データを表示部に表示し、ユーザによる外部機器端子の選択情報の入力に基づいて、選択された外部機器端子に適合するケーブルのケーブル画像データを表示する処理を実行する構成であることを特徴とする請求項１に記載の情報処理装置。
【請求項３】
前記制御部は、
前記ケーブル画像データの表示処理において、ケーブル画像データと、ケーブルの各端部に対応する接続端子の端子画像データを併せて表示する処理を実行する構成であることを特徴とする請求項１に記載の情報処理装置。
【請求項４】
前記制御部は、
前記表示部に、ケーブルを接続する複数の端子の端子画像データを表示するとともに、表示された端子画像に対応する端子を利用した処理に関する説明文の表示処理を行なう構成であることを特徴とする請求項１に記載の情報処理装置。
【請求項５】
前記制御部は、
前記表示部に、ケーブルを接続する際の参考情報を表示する処理を行なう構成であることを特徴とする請求項１に記載の情報処理装置。
【請求項６】
前記制御部は、
前記表示部に、ケーブルを接続する際の参考情報を表示するとともに、該参考情報に該情報処理装置における設定処理の説明が含まれる場合に、該設定処理画面への移行を受け付けるための情報の表示処理を行なう構成であることを特徴とする請求項１に記載の情報処理装置。
【請求項７】
前記制御部は、
前記表示部に、ケーブルを接続する対象としての機器の種類についての確認画面を表示し、機器の種類を指定するユーザ入力に基づいて、指定機器に対応するガイド情報を選択して表示する処理を実行する構成であることを特徴とする請求項１に記載の情報処理装置。
【請求項８】
前記制御部は、
前記情報処理装置による撮影画像または記録部に記録された記録画像が、前記表示部に表示されている場合、前記ガイド情報を半透過画像として、表示中の画像に重ねて表示する処理を行なう構成であることを特徴とする請求項１に記載の情報処理装置。
【請求項９】
ケーブルを介したデータ転送を行なう情報処理装置において、ケーブル接続処理のガイド情報表示処理を実行する情報処理方法であり、
制御部において、表示部に対してケーブルの接続対象となる複数の端子の形状を示す端子画像データを表示する端子画像データ表示ステップと、
前記制御部において、ユーザによる端子選択情報の入力を検出する端子選択情報検出ステップと、
前記制御部において、ユーザによる選択端子に適合するケーブルに対応するケーブル形状を示すケーブル画像データを表示するケーブル画像データ表示ステップと、
を有することを特徴とする情報処理方法。
【請求項１０】
前記端子画像データ表示ステップは、
前記情報処理装置に対するケーブル接続対象となる外部機器に構成され得る複数の外部機器端子の外部機器端子画像データを表示部に表示するステップであり、
前記端子選択情報検出ステップは、
ユーザによる外部機器端子の選択情報の入力を検出するステップであり、
前記ケーブル画像データ表示ステップは、
ユーザによって選択された外部機器端子に適合するケーブルのケーブル画像データを表示するステップであることを特徴とする請求項９に記載の情報処理方法。
【請求項１１】
前記ケーブル画像データ表示ステップは、
前記ケーブル画像データの表示処理において、ケーブル画像データと、ケーブルの各端部に対応する接続端子の端子画像データを併せて表示する処理を実行するステップであることを特徴とする請求項９に記載の情報処理方法。
【請求項１２】
前記端子画像データ表示ステップは、
前記表示部に、ケーブルを接続する複数の端子の端子画像データを表示するとともに、表示された端子画像に対応する端子を利用した処理に関する説明文の表示処理を行なうステップであることを特徴とする請求項９に記載の情報処理方法。
【請求項１３】
前記情報処理方法は、さらに、
前記制御部において、ケーブルを接続する際の参考情報を前記表示部に表示する参考情報表示ステップを有することを特徴とする請求項９に記載の情報処理方法。
【請求項１４】
前記参考情報表示ステップは、
前記表示部に、ケーブルを接続する際の参考情報を表示するとともに、該参考情報に該情報処理装置における設定処理の説明が含まれる場合に、該設定処理画面への移行を受け付けるための情報の表示処理を行なうステップであることを特徴とする請求項１３に記載の情報処理方法。
【請求項１５】
前記情報処理方法は、さらに、
前記制御部において、ケーブルを接続する対象としての機器の種類についての確認画面を前記表示部に表示し、機器の種類を指定するユーザ入力に基づいて、指定機器に対応するガイド情報を選択して表示する処理を実行するステップを有することを特徴とする請求項９に記載の情報処理方法。
【請求項１６】
前記情報処理方法は、さらに、
前記制御部の制御の下に、前記情報処理装置による撮影画像または記録部に記録された記録画像が、前記表示部に表示されている場合、前記ガイド情報を半透過画像として、表示中の画像に重ねて表示する処理を行なうことを特徴とする請求項９に記載の情報処理方法。
【請求項１７】
ケーブルを介したデータ転送を行なう情報処理装置において、ケーブル接続処理のガイド情報表示処理を実行させるコンピュータ・プログラムであり、
制御部において、表示部に対してケーブルの接続対象となる複数の端子の形状を示す端子画像データを表示させる端子画像データ表示ステップと、
前記制御部において、ユーザによる端子選択情報の入力を検出させる端子選択情報検出ステップと、
前記制御部において、ユーザによる選択端子に適合するケーブルに対応するケーブル形状を示すケーブル画像データを表示させるケーブル画像データ表示ステップと、
を実行させることを特徴とするコンピュータ・プログラム。
【発明の詳細な説明】
【技術分野】
【０００１】
本発明は、情報処理装置、および情報処理方法、並びにコンピュータ・プログラムに関する。さらに詳細には、例えばビデオカメラ等において撮影された撮像データをテレビなどの表示装置に出力する際のケーブル接続や設定処理のガイドを行なう情報処理装置、および情報処理方法、並びにコンピュータ・プログラムに関する。
【背景技術】
【０００２】
例えばビデオカメラにおいて撮影された撮像データは、ビデオカメラ内の記憶手段に格納される。この撮像データを再生する場合、ビデオカメラに付属するモニタを利用して再生することも可能であるが、ケーブルを利用して外部のテレビと接続して再生することも可能である。
【０００３】
近年のビデオカメラにおいては、従来の画質（ＳＤ：Ｓｔａｎｄａｒｄ ｄｅｆｉｎｉｔｉｏｎ）より高画質な画像であるＨＤ（Ｈｉｇｈ  Ｄｅｆｉｎｉｔｉｏｎ）画像での撮影を可能とした製品が出現してきている。一方、テレビにおいても同様であり、ＨＤ画像の再生可能なテレビを所有するユーザも多くなってきている。
【０００４】
ビデオカメラにおいて撮影した画像をテレビに出力して再生しようとする場合、ビデオカメラにおいて撮影した画像がＳＤ画像であるかＨＤ画像であるか、さらに、出力先のテレビが、ＨＤ画像を再生可能なテレビであるか否かなど、データの出力元機器と出力先機器との様々な組み合わせが想定される。
【０００５】
このような様々な機器がある現状において、データ入出力を行なうケーブルも多様であり、ユーザは、様々な種類のケーブルから機器に応じたケーブルを選択することが必要となる。データ再生のためには、音声データと画像データとを転送することが必要であり、このための正しいケーブル選択および接続処理が要求される。
【０００６】
ユーザは、機器に設定された端子、すなわちケーブルの種類に応じたケーブル接続端子に適合する正しいケーブルを選択して接続しなければならない。ケーブル接続端子には、例えば、従来から多くの機器で利用されている「ピン端子」、「Ｄ端子」、さらに、音声信号を併せて出力可能としたＨＤＭＩ（High Definition Multimedia Interface）規格に従った「ＨＤＭＩ端子」など、多くの種類がある。このような様々な端子が、ビデオカメラ、テレビに備えられており、ユーザは、端子に応じた正しいケーブルを選択して、機器間の接続を行うことが必要となる。しかし、このようなケーブル選択および接続間処理は、多くの一般ユーザにとって、容易な作業ではない。
【０００７】
誤った接続を行ってしまうと、正しいデータ転送が行なわれないといったこともある。また、本来、高画質画像としての再生が可能であるにも関わらず、接続ミスにより低画質画像が再生されてしまうといったこともある。
【発明の開示】
【発明が解決しようとする課題】
【０００８】
本発明は、上述の問題点に鑑みてなされたものであり、例えばビデオカメラ等において撮影された撮像データをテレビなどの表示装置に出力する際のケーブル接続や設定処理を分かりやすくガイドして、一般ユーザが迷うことなく容易に正しいケーブル接続を行なうことを可能とする情報処理装置、および情報処理方法、並びにコンピュータ・プログラムを提供することを目的とする。
【課題を解決するための手段】
【０００９】
本発明の第１の側面は、
ケーブルを介したデータ転送を行なう情報処理装置であり、
情報表示処理を行なう表示部と、
ケーブル接続処理のガイド情報を前記表示部に表示する制御部を有し、
前記制御部は、
前記ガイド情報の表示処理において、前記表示部にケーブルの接続対象となる複数の端子の形状を示す端子画像データを表示し、ユーザによる端子選択情報の入力に基づいて、選択端子に適合するケーブルに対応するケーブル形状を示すケーブル画像データを表示する処理を実行する構成であることを特徴とする情報処理装置にある。
【００１０】
さらに、本発明の情報処理装置の一実施態様において、前記制御部は、前記情報処理装置に対するケーブル接続対象となる外部機器に構成され得る複数の外部機器端子の外部機器端子画像データを表示部に表示し、ユーザによる外部機器端子の選択情報の入力に基づいて、選択された外部機器端子に適合するケーブルのケーブル画像データを表示する処理を実行する構成であることを特徴とする。
【００１１】
さらに、本発明の情報処理装置の一実施態様において、前記制御部は、前記ケーブル画像データの表示処理において、ケーブル画像データと、ケーブルの各端部に対応する接続端子の端子画像データを併せて表示する処理を実行する構成であることを特徴とする。
【００１２】
さらに、本発明の情報処理装置の一実施態様において、前記制御部は、前記表示部に、ケーブルを接続する複数の端子の端子画像データを表示するとともに、表示された端子画像に対応する端子を利用した処理に関する説明文の表示処理を行なう構成であることを特徴とする。
【００１３】
さらに、本発明の情報処理装置の一実施態様において、前記制御部は、前記表示部に、ケーブルを接続する際の参考情報を表示する処理を行なう構成であることを特徴とする。
【００１４】
さらに、本発明の情報処理装置の一実施態様において、前記制御部は、前記表示部に、ケーブルを接続する際の参考情報を表示するとともに、該参考情報に該情報処理装置における設定処理の説明が含まれる場合に、該設定処理画面への移行を受け付けるための情報の表示処理を行なう構成であることを特徴とする。
【００１５】
さらに、本発明の情報処理装置の一実施態様において、前記制御部は、前記表示部に、ケーブルを接続する対象としての機器の種類についての確認画面を表示し、機器の種類を指定するユーザ入力に基づいて、指定機器に対応するガイド情報を選択して表示する処理を実行する構成であることを特徴とする。
【００１６】
さらに、本発明の情報処理装置の一実施態様において、前記制御部は、前記情報処理装置による撮影画像または記録部に記録された記録画像が、前記表示部に表示されている場合、前記ガイド情報を半透過画像として、表示中の画像に重ねて表示する処理を行なう構成であることを特徴とする。
【００１７】
さらに、本発明の第２の側面は、
ケーブルを介したデータ転送を行なう情報処理装置において、ケーブル接続処理のガイド情報表示処理を実行する情報処理方法であり、
制御部において、表示部に対してケーブルの接続対象となる複数の端子の形状を示す端子画像データを表示する端子画像データ表示ステップと、
前記制御部において、ユーザによる端子選択情報の入力を検出する端子選択情報検出ステップと、
前記制御部において、ユーザによる選択端子に適合するケーブルに対応するケーブル形状を示すケーブル画像データを表示するケーブル画像データ表示ステップと、
を有することを特徴とする情報処理方法にある。
【００１８】
さらに、本発明の情報処理方法の一実施態様において、前記端子画像データ表示ステップは、前記情報処理装置に対するケーブル接続対象となる外部機器に構成され得る複数の外部機器端子の外部機器端子画像データを表示部に表示するステップであり、前記端子選択情報検出ステップは、ユーザによる外部機器端子の選択情報の入力を検出するステップであり、前記ケーブル画像データ表示ステップは、ユーザによって選択された外部機器端子に適合するケーブルのケーブル画像データを表示するステップであることを特徴とする。
【００１９】
さらに、本発明の情報処理方法の一実施態様において、前記ケーブル画像データ表示ステップは、前記ケーブル画像データの表示処理において、ケーブル画像データと、ケーブルの各端部に対応する接続端子の端子画像データを併せて表示する処理を実行するステップであることを特徴とする。
【００２０】
さらに、本発明の情報処理方法の一実施態様において、前記端子画像データ表示ステップは、前記表示部に、ケーブルを接続する複数の端子の端子画像データを表示するとともに、表示された端子画像に対応する端子を利用した処理に関する説明文の表示処理を行なうステップであることを特徴とする。
【００２１】
さらに、本発明の情報処理方法の一実施態様において、前記情報処理方法は、さらに、前記制御部において、ケーブルを接続する際の参考情報を前記表示部に表示する参考情報表示ステップを有することを特徴とする。
【００２２】
さらに、本発明の情報処理方法の一実施態様において、前記参考情報表示ステップは、前記表示部に、ケーブルを接続する際の参考情報を表示するとともに、該参考情報に該情報処理装置における設定処理の説明が含まれる場合に、該設定処理画面への移行を受け付けるための情報の表示処理を行なうステップであることを特徴とする。
【００２３】
さらに、本発明の情報処理方法の一実施態様において、前記情報処理方法は、さらに、前記制御部において、ケーブルを接続する対象としての機器の種類についての確認画面を前記表示部に表示し、機器の種類を指定するユーザ入力に基づいて、指定機器に対応するガイド情報を選択して表示する処理を実行するステップを有することを特徴とする。
【００２４】
さらに、本発明の情報処理方法の一実施態様において、前記情報処理方法は、さらに、前記制御部の制御の下に、前記情報処理装置による撮影画像または記録部に記録された記録画像が、前記表示部に表示されている場合、前記ガイド情報を半透過画像として、表示中の画像に重ねて表示する処理を行なうことを特徴とする。
【００２５】
さらに、本発明の第３の側面は、
ケーブルを介したデータ転送を行なう情報処理装置において、ケーブル接続処理のガイド情報表示処理を実行させるコンピュータ・プログラムであり、
制御部において、表示部に対してケーブルの接続対象となる複数の端子の形状を示す端子画像データを表示させる端子画像データ表示ステップと、
前記制御部において、ユーザによる端子選択情報の入力を検出させる端子選択情報検出ステップと、
前記制御部において、ユーザによる選択端子に適合するケーブルに対応するケーブル形状を示すケーブル画像データを表示させるケーブル画像データ表示ステップと、
を実行させることを特徴とするコンピュータ・プログラムにある。
【００２６】
なお、本発明のコンピュータ・プログラムは、例えば、様々なプログラム・コードを実行可能な汎用コンピュータ・システムに対して、コンピュータ可読な形式で提供する記憶媒体、通信媒体、例えば、ＣＤやＦＤ、ＭＯなどの記憶媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００２７】
本発明のさらに他の目的、特徴や利点は、後述する本発明の実施例や添付する図面に基づく、より詳細な説明によって明らかになるであろう。なお、本明細書においてシステムとは、複数の装置の論理的集合構成であり、各構成の装置が同一筐体内にあるものには限らない。
【発明の効果】
【００２８】
本発明の一実施例の構成によれば、ケーブル接続処理のガイド情報の表示処理において、ケーブルの接続対象となる複数の端子の形状を示す端子画像データを表示し、ユーザによる端子選択情報の入力に基づいて、選択端子に適合するケーブルに対応するケーブル形状を示すケーブル画像データを表示する構成としたので、ユーザは迷うことなく正しいケーブルを選択し、正しい接続を行なうことが可能となる。
【００２９】
さらに、本発明の一実施例に係る情報処理装置では、
（Ａ）ケーブル接続機器（例えばテレビ）の種類の選択画面の表示、
（Ｂ）ケーブル接続機器に設定された端子の形状をイメージデータとして含む端子選択画面の表示、
（Ｃ）端子に対応するケーブルのイメージデータと接続端子の対応を示すケーブル確認画面の表示、さらに、
（Ｄ）ヒント（参考情報）画面、
これらのガイド画面を、順次、提示する構成としたので、ユーザは、ケーブル接続機器（テレビなど）の種類および端子形状を選択してガイドに従った処理を行なうことで、容易に確実なケーブル接続を行なうことが可能となる。
【発明を実施するための最良の形態】
【００３０】
以下、図面を参照しながら、本発明の情報処理装置、および情報処理方法、並びにコンピュータ・プログラムの詳細について説明する。
【００３１】
まず、本発明の情報処理装置の一実施例としての撮像装置（ビデオカメラ）におけるケーブルを適用した接続処理例について説明する。図１には、撮像装置（ビデオカメラ）１０１と、テレビ１０２を示している。撮像装置１０１において撮影された撮像データは、撮像装置１０１の記憶メディア、例えばハードディスクやＤＶＤ、あるいはフラッシュメモリなどの記憶メディアに記録される。このようなメディアに記録されたデータは、ケーブル接続により、テレビ１０２に出力して再生することができる。
【００３２】
図には、撮像装置１０１の一面として撮像装置背面１０１Ｂを示している。撮像装置背面１０１Ｂにはケーブル接続用の端子１２１が設けられている。撮像装置背面１０１Ｂには、データ出力対象とする機器（例えばテレビ）の種類に応じた複数の異なるケーブルを接続可能とした複数種類の端子１２１が構成されている。
【００３３】
一方、テレビ１０２の一面としてのテレビ背面１０２Ｂにもデータ入力用のケーブル接続用の端子１０３が設けられている。テレビ１０２には、そのテレビの種類に応じた端子、例えば図１に示す１０３（ａ）〜（ｅ）・・・のいずれかの端子が設けられている。
【００３４】
音声および画像データの転送に利用されるケーブルにも、様々な端子に応じた複数のケーブル１５１が存在する。ユーザは、撮像装置からデータ出力機器（例えばテレビ）に対してデータ出力を行なう場合、データ出力機器（テレビ）に設定された端子に応じた正しいケーブルの選択を行い、さらに、必要な機器の設定を行うことが必要となる。
【００３５】
データ入出力用の端子の種類としては、例えば、従来から多くの機器で利用されている「ピン端子」、「Ｄ端子」、さらに、ＨＤＭＩ（High Definition Multimedia Interface）規格に従った「ＨＤＭＩ端子」など、多くの種類がある。ＨＤＭＩ端子は画像信号に併せて音声信号を１本のケーブルで出力可能とした端子である。このような様々な端子が、ビデオカメラ、テレビなどのデータ入出力機器には備えられており、ユーザは、端子に応じた正しいケーブルを選択して、機器間の接続を行うことが必要となる。
【００３６】
このようなケーブル選択および接続間処理は、多くの一般ユーザにとって容易な作業ではない。そこで、本発明の情報処理装置では、ケーブル接続や設定処理を分かりやすくガイドして、一般ユーザが迷うことなく容易に正しいケーブル接続を実現して正しいデータ転送、再生を可能とした。なお、以下では、データ出力を行なう情報処理装置としてビデオカメラを例として説明するが、本発明は、ビデオカメラに限らず、ケーブルを介したデータ入出力を行なう機器において適用可能であり、本発明の情報処理装置は、例えばビデオやＤＶＤ再生機器など、データ入出力を行なう機器全般を含むものである。
【００３７】
図２以下を参照して、本発明の情報処理装置において実行するケーブル接続ガイド機能の詳細について説明する。
【００３８】
図２には、本発明の情報処理装置１０１の表示部１８０に表示されるテレビ接続ガイド初期画面２０１を示している。情報処理装置（撮像装置）１０１の表示部１８０は、撮影画像や再生画像が表示される例えば液晶モニタである。表示部１８０は、様々なガイドやマニュアルの表示部としても利用可能な構成となっている。ユーザは、まず、表示部１８０にメニュー画面を表示し、メニュー画面において設定されたメニュー項目［テレビ接続ガイド］を選択すると、図２に示すテレビ接続ガイド初期画面２０１が表示される。
【００３９】
なお、表示部１８０に表示する様々なガイド表示は、表示部１８０に表示される撮影画像や再生画像からの切り替え表示構成としてもよいし、撮影画像や再生画像と併せて表示する構成としてもよい。撮影画像や再生画像と併せて表示する場合には、例えば画面分割による並列表示、あるいはガイド情報を半透過（半透明）画像データとして、撮影画像や再生画像に重畳して表示する構成が可能である。
【００４０】
なお、以下で説明するテレビ接続ガイドの表示制御は、情報処理装置（撮像装置）１０１内の記憶部に記録されたプログラムに従って情報処理装置（撮像装置）１０１内の制御部の制御の下に実行される。
【００４１】
図２に示すテレビ接続ガイド初期画面２０１は、ケーブル接続を行なうユーザに対して、情報処理装置（撮像装置）１０１と接続を行なうテレビの種類を入力させるための画面である。図の例では、接続機器としてのテレビが、
［ハイビジョンテレビ］であるか、
［ワイドまたは４：３テレビ］であるか、
これらの２つのカテゴリのいずれに属するかを入力させる画面である。
【００４２】
ユーザは、この問いかけに対して、接続対象のテレビの種類を確認して入力する。入力は、タッチパネルとして構成された表示部１８０に対する操作（タッチ）や、情報処理装置１０１の操作ボタンの操作によって実行される。情報処理装置１０１の制御部がユーザ入力情報を検出すると、制御部は、ユーザ入力に応じた次のガイド画面を選択して表示部１８０に表示する。
【００４３】
図に示す例では、［ハイビジョンテレビ］、または［ワイドまたは４：３テレビ］のいずれかをユーザは選択する。まず、［ハイビジョンテレビ］を選択した場合のガイド処理例について、図３以下を参照して説明する。
【００４４】
図２に示すテレビ接続ガイド初期画面２０１において、ユーザが［ハイビジョンテレビ］を選択した場合、情報処理装置１０１の制御部は、この操作情報を検出して、表示情報の切換を行なう。すなわち、図３に示す端子選択画面２０２ａ〜ｃを表示部１８０に表示する。図３に示す端子選択画面２０２ａ〜ｃの３種類の画面は、端子選択画面２０２ａ〜ｃに表示される画面切り替えアイコン２１１の操作によって、順次、切り替え可能な設定となっている。
【００４５】
図３に示す端子選択画面２０２ａ〜ｃは、情報処理装置（撮像装置）１０１のケーブルによる接続機器、すなわち、テレビに設定された端子の種類をユーザに確認させる画面である。
【００４６】
端子選択画面２０２ａ〜ｃの各々には、接続機器の端子イメージデータ２２１と、各端子を利用した場合の説明データ２２２が含まれる。図に示す例では、
（ａ）コンポーネント（Ｄ端子）
（ｂ）ＨＤＭＩ端子
（ｃ）コンポーネント（ピン端子）
これらの３種類の端子に対応する３種類の端子選択画面２０２ａ〜ｃが、切換表示可能な構成となっている。なお、本処理例では、３種類の端子選択画面２０２ａ〜ｃを個別に切り替え表示する構成例であるが、これらの３種類の端子選択画面２０２ａ〜ｃを並べて表示する構成としてもよい。
【００４７】
接続機器の端子イメージデータ２２１は、接続先機器であるテレビに備えられた端子のイメージデータであり、ユーザは接続先機器であるテレビの端子の形状を確認して、一致するものを端子選択画面２０２ａ〜ｃのイメージデータから選択することができる。なお、２種類以上の端子が接続先機器であるテレビに設けられている場合は、いずれを選択してもよいし、例えば説明データ２２２を参照して適切な端子を選択することができる。
【００４８】
例えば、
（ａ）コンポーネント（Ｄ端子）の説明データには、
「ハイビジョン画質の映像をテレビに出力できます。音声の出力には、ＡＶ接続ケーブルも必要です」と記述され、
（ｂ）ＨＤＭＩ端子の説明データには、
「１本のケーブルでハイビジョン画質の映像と音声をテレビに出力できます」と記述され、
（ｃ）コンポーネント（ピン端子）の説明データには、
「ハイビジョン画質の映像をテレビに出力できます。音声の出力には、ＡＶ接続ケーブルも必要です。」
と記述されている。説明には、各端子を利用した接続を行なったデータ出力における特徴、利点、注意点などが含まれ、ユーザは、これらの説明文に基づいて、適切なケーブル端子を選択することができる。
【００４９】
ユーザは、図３に示す端子選択画面２０２ａ〜ｃから１つの端子を接続端子として選択する際は、ＯＫアイコン２１２を操作して選択情報を入力する。入力は、タッチパネルとして構成された表示部１８０に対する操作（タッチ）や、情報処理装置１０１の操作ボタンの操作によって実行される。情報処理装置１０１の制御部がユーザ入力情報を検出すると、制御部は、ユーザ入力に応じた次のガイド画面を選択して表示部１８０に表示する。
【００５０】
図３に示す３つの端子選択画面２０２ａ〜ｃ、すなわち、
（ａ）コンポーネント（Ｄ端子）
（ｂ）ＨＤＭＩ端子
（ｃ）コンポーネント（ピン端子）
これらの画面でＯＫアイコン２１２を操作した場合の各々の表示画面例を図４に示す。
【００５１】
図４には、図３に示す３つの端子選択画面２０２ａ〜ｃに対応するケーブル確認画面２３１ａ〜ｃを示している。図４に示す３種類のケーブル確認画面２３１ａ〜ｃは、それぞれ、
（ａ）コンポーネント（Ｄ端子）
（ｂ）ＨＤＭＩ端子
（ｃ）コンポーネント（ピン端子）
これらの３種類のいずれかの端子の選択処理、すなわち、図３に示す端子選択画面２０２ａ〜ｃにおけるＯＫアイコン２１２を操作した場合に表示部１８０に表示される画面であり、各選択端子に対応するケーブルを確認するための画面である。
【００５２】
図４に示すケーブル確認画面２３１ａ〜ｃは、データ出力元機器である情報処理装置（撮像装置）１０１と、データ出力先機器（本例ではテレビ）との接続に適用するケーブルをユーザに確認させる画面である。
【００５３】
ケーブル確認画面２３１ａ〜ｃの各々には、接続に適用するケーブルおよびケーブルの両端に接続すべき機器の端子を対応付けたケーブル接続イメージデータ２４１が含まれる。ケーブル接続イメージデータ２４１には、ケーブル自体のイメージデータに加えて、各ケーブルの接続機器の端子イメージデータも含まれる。ケーブルによって接続される２つの機器、すなわち、データ出力元機器である情報処理装置（撮像装置）と、データ出力先機器（本例ではテレビ）それぞれの端子のイメージデータが、ケーブルの接続端に対応して表示され、ユーザは、ケーブル接続イメージデータ２４１に表示されたケーブルを選択し、さらに、ケーブル接続イメージデータ２４１に表示されたテレビや撮像装置の端子の形状を確認するこが可能であり、ケーブル選択や、接続方向について何ら迷うことなく正しいケーブル接続を行なうことができる。
【００５４】
また、図４に示すように、ケーブル確認画面２３１ａ〜ｃの各々には、ヒント（参考情報）呼び出しアイコン２４２が設定されている。このヒント呼び出しアイコン２４２をユーザが操作するとケーブル接続に関するヒント（参考情報）画面が提示される。すなわち、情報処理装置１０１の制御部がヒント呼び出しアイコン２４２に対するユーザ操作情報を検出すると、制御部はヒント画面を表示部１８０に表示する。
【００５５】
図４に示す３種類のケーブル確認画面２３１ａ〜ｃの各々に対応するヒント画面の例を図５（ａ）〜（ｃ）に示す。図５に示すケーブル接続ヒント画面２５１ａ〜ｃは、図３に示した端子選択画面２０２ａ〜ｃ、図４に示したケーブル確認画面２３１ａ〜ｃに対応するヒント画面であり、
（ａ）コンポーネント（Ｄ端子）
（ｂ）ＨＤＭＩ端子
（ｃ）コンポーネント（ピン端子）
これらの３種類の端子を適用したケーブル接続に対応するヒント画面である。
【００５６】
図５（ａ）には、コンポーネント（Ｄ端子）を利用したケーブル接続に関するヒント情報が示されている。具体的には、例えば、
「音声の出力にはＡＶ接続ケーブルも必要です。コンポーネント映像入出力端子付近の音声端子（赤と白）につないでください。コンポーネント出力の設定は、「Ｄ３」に設定してください」
また、図５（ｂ）には、ＨＤＭＩ端子を利用したケーブル接続に関するヒント情報として、
「ＨＤＭＩケーブルは規格に準拠したケーブルをお使い下さい。出力端子同士で接続しないでください」
また、図５（ｃ）には、コンポーネント（ピン端子）を利用したケーブル接続に関するヒント情報として、
「音声の出力にはＡＶ接続ケーブルも必要です。コンポーネント映像入出力端子付近の音声端子（赤と白）につないでください。コンポーネント出力の設定は、「Ｄ３」に設定してください」
このようなヒント情報が、各端子／ケーブルに対応するヒント情報として提示される。
【００５７】
このように、ケーブル接続ヒント画面２５１ａ〜ｃには、ケーブル接続の具体的な説明や、注意事項、必要となる設定などを含むヒント情報が記述される。ここで、ケーブル接続に際して必要となる設定を行なう必要がある場合には、ケーブル接続ヒント画面に、設定画面に移行するためのアイコンが表示される。具体的には、図５（ａ），（ｃ）に示すコンポーネント出力アイコン２６１である。
【００５８】
ユーザがこれらのコンポーネント出力アイコン２６１を操作すると、操作情報を制御部が検出し、ケーブル接続時に必要となる機器設定処理画面に移行させる。この移行画面の例を図６に示す。図６には情報処理装置の表示部１８０に表示される機器設定画面の１つであるコンポーネント出力設定画面２７１を示している。
【００５９】
図６に示すコンポーネント出力設定画面２７１は、Ｄ端子のあるテレビへの出力を［Ｄ１］とするか［Ｄ３］とするかを選択する設定画面である。コンポーネント出力設定画面２７１には、コンポーネント出力設定をＤ１に設定させるためのＤ１設定アイコン２７２、コンポーネント出力設定をＤ３に設定させるためのＤ３設定アイコン２７３が表示され、ユーザはこれらのアイコンのいずれかを選択することで、選択情報が制御部に入力され、制御部の制御の下、機器の設定が実行される。
【００６０】
例えばＨＤ画像の出力には［Ｄ３］の設定を行い、ＳＤ画像の出力を行う場合は［Ｄ１］の設定を行うことになる。これらは、先に説明した図５のケーブル接続ヒント画面の説明に対応する。すなわち、図５は、すべてＨＤ画像の出力可能なハイビジョンテレビに対するケーブル接続設定であり、ヒントの説明文として、ケーブル接続ヒント画面２５１ａ，ｃに示すように、コンポーネント出力の設定を［Ｄ３］にするように説明がなされている。
【００６１】
ユーザは、図６に示すコンポーネント出力設定画面２７１において、Ｄ３設定アイコン２７３を選択することで、選択情報が制御部に伝えられ、制御部の制御の下に機器のコンポーネント出力設定が［Ｄ３］に設定される。
【００６２】
ユーザによるコンポーネント出力設定画面２７１におけるＤ３設定アイコン２７３の選択により、コンポーネント出力設定が［Ｄ３］に設定された後、ユーザは、コンポーネント出力設定画面２７１に表示された画面戻しアイコン２７４を操作することで、図５のケーブル接続ヒント画面２５１に戻ることができる。
【００６３】
さらに、図５に示すケーブル接続ヒント画面２５１に示される画面戻しアイコン２６３を操作することで、図４のケーブル確認画面２３１に戻ることができる。図４のケーブル確認画面２３１において、ＯＫアイコン２４３を操作すると、制御部は操作情報に基づいて、接続完了確認画面を表示部１８０に表示する。
【００６４】
接続完了確認画面の表示例を図７に示す。図７には、２種類の接続完了確認画面２８１ａ，２８１ｂを示している。接続完了確認画面２８１ａ，２８１ｂの両者とも、正しく接続が行なわれたか否かのユーザによる確認入力用のアイコンとして［はいアイコン］２９１、［いいえアイコン］２９２が表示され、ユーザはケーブル接続の確認に基づいて、いずれかのアイコンに対する操作を行なう。
【００６５】
操作情報は制御部に入力され、制御部は、操作に応じた処理を行なう。例えば［はいアイコン］２９１の操作が検出された場合は、正しくケーブル接続が行なわれたと判定し、［テレビ接続ガイド］の機能を終了する。例えば、表示画面１８０に対するガイド表示を消去する。あるいは、メニュー表示に戻る等の処理を行なう。一方、［いいえアイコン］２９２の操作が検出された場合は、正しくケーブル接続が行なわれなかったと判定し、再度、図４に示すケーブル確認画面の表示に戻る処理を実行する。
【００６６】
図７に示す接続完了確認画面２８１ａ，２８１ｂの差異は、接続完了確認画面２８１ｂに、ＨＤＭＩ出力おける出力先機器（テレビ）に対する出力データフォーマット情報としての解像度情報［例えば１９２０×１０８０］の表示がなされる点である。ＨＤＭＩ端子を利用したケーブル接続を行なった場合、データ出力先の機器からの情報を入力することが可能であり、この入力情報に基づいて、出力態様に対応する情報表示がなされる。これらの表示情報の生成処理は、情報処理装置１０１の制御部において実行される。
【００６７】
次に、図２を参照して説明したテレビ接続ガイド初期画面２０１、すなわち、接続機器としてのテレビが、
［ハイビジョンテレビ］であるか、
［ワイドまたは４：３テレビ］であるか、
これらの２つのカテゴリのいずれに属するかを入力させる画面において、［ワイドまたは４：３テレビ］を選択した場合のガイド処理例について、図８以下を参照して説明する。
【００６８】
図２に示すテレビ接続ガイド初期画面２０１において、ユーザが［ワイドまたは４：３テレビ］を選択した場合、情報処理装置１０１の制御部は、この操作情報を検出して、表示情報の切換を行ない、図８に示す端子選択画面３０２ａ〜ｃを表示部１８０に表示する。図３に示す端子選択画面３０２ａ〜ｃの３種類の画面は、［ワイドまたは４：３テレビ］に対応する端子選択画面である。これらの３種類の端子選択画面３０２ａ〜ｃは、画面切り替えアイコン３１１の操作によって、順次、切り替え可能な設定となっている。
【００６９】
図８に示す端子選択画面３０２ａ〜ｃは、情報処理装置（撮像装置）１０１のケーブルによる接続機器として、ワイドまたは４：３テレビが選択された場合の、テレビに設定された端子の種類をユーザに確認させる画面である。
【００７０】
端子選択画面３０２ａ〜ｃの各々には、接続機器の端子イメージデータ３２１と、各端子を利用した場合の説明データ３２２が含まれる。図に示す例では、
（ａ）コンポーネント（Ｄ端子）
（ｂ）Ｓ端子
（ｃ）映像音声端子
これらの３種類の端子に対応する３種類の端子選択画面３０２ａ〜ｃが、切換表示可能な構成となっている。なお、本処理例では、３種類の端子選択画面３０２ａ〜ｃを個別に切り替え表示する構成例であるが、これらの３種類の端子選択画面３０２ａ〜ｃを並べて表示する構成としてもよい。
【００７１】
接続機器の端子イメージデータ３２１は、接続先機器であるテレビに備えられた端子のイメージデータであり、ユーザは接続先機器であるテレビの端子の形状を確認して、一致するものを端子選択画面３０２ａ〜ｃのイメージデータから選択することができる。なお、２種類以上の端子が接続先機器であるテレビに設けられている場合は、いずれを選択してもよいし、例えば説明データ３２２を参照して適切な端子を選択することができる。
【００７２】
例えば、
（ａ）コンポーネント（Ｄ端子）の説明データには、
「映像音声端子よりも良好な状態で映像をテレビに出力できます」と記述され、
（ｂ）Ｓ端子の説明データには、
「映像音声端子よりも良好な状態で映像をテレビに出力できます」と記述され、
（ｃ）映像音声端子の説明データには、
「映像音声をテレビに出力します」
と記述されている。説明には、各端子を利用した接続を行なったデータ出力における特徴、利点、注意点などが含まれ、ユーザは、これらの説明文に基づいて、適切なケーブル端子を選択することができる。
【００７３】
ユーザは、図８に示す端子選択画面３０２ａ〜ｃから１つの端子を接続端子として選択する際は、ＯＫアイコン３１２を操作して選択情報を入力する。情報処理装置１０１の制御部がユーザ入力情報を検出すると、制御部は、ユーザ入力に応じた次のガイド画面を選択して表示部１８０に表示する。
【００７４】
図８に示す３つの端子選択画面３０２ａ〜ｃ、すなわち、
（ａ）コンポーネント（Ｄ端子）
（ｂ）Ｓ端子
（ｃ）映像音声端子
これらの画面でＯＫアイコン３１２を操作した場合の各々の表示画面例を図９に示す。
【００７５】
図９には、図８に示す３つの端子選択画面３０２ａ〜ｃに対応するケーブル確認画面３３１ａ〜ｃを示している。図９に示す３種類のケーブル確認画面３３１ａ〜ｃは、それぞれ、
（ａ）コンポーネント（Ｄ端子）
（ｂ）Ｓ端子
（ｃ）映像音声端子
これらの３種類のいずれかの端子の選択処理、すなわち、図８に示す端子選択画面３０２ａ〜ｃにおけるＯＫアイコン３１２を操作した場合に表示部１８０に表示される画面であり、各選択端子に対応するケーブルを確認するための画面である。
【００７６】
図９に示すケーブル確認画面３３１ａ〜ｃは、データ出力元機器である情報処理装置（撮像装置）１０１と、データ出力先機器（本例ではテレビ）との接続に適用するケーブルをユーザに確認させる画面である。
【００７７】
ケーブル確認画面３３１ａ〜ｃの各々には、接続に適用するケーブルおよびケーブルの両端に接続すべき機器の端子を対応付けたケーブル接続イメージデータ３４１が含まれる。ケーブル接続イメージデータ３４１には、ケーブル自体のイメージデータに加えて、各ケーブルの接続機器の端子イメージデータも含まれる。ケーブルによって接続される２つの機器、すなわち、データ出力元機器である情報処理装置（撮像装置）と、データ出力先機器（本例ではテレビ）それぞれの端子のイメージデータが、ケーブルの接続端に対応して表示され、ユーザは、ケーブル接続イメージデータ３４１に表示されたケーブルを選択し、さらに、ケーブル接続イメージデータ３４１に表示されたテレビや撮像装置の端子の形状を確認するこが可能であり、ケーブル選択や、接続方向について何ら迷うことなく正しいケーブル接続を行なうことができる。
【００７８】
また、図９に示すように、ケーブル確認画面３３１ａ〜ｃの各々には、ヒント呼び出しアイコン３４２が設定されている。このヒント呼び出しアイコン３４２をユーザが操作するとケーブル接続に関するヒント画面が提示される。すなわち、情報処理装置１０１の制御部がヒント呼び出しアイコン３４２に対するユーザ操作情報を検出すると、制御部はヒント画面を表示部１８０に表示する。
【００７９】
図９に示す３種類のケーブル確認画面３３１ａ〜ｃの各々に対応するヒント画面の例を図１０（ａ）〜（ｃ）に示す。図１０に示すケーブル接続ヒント画面３５１ａ〜ｃは、図８に示した端子選択画面３０２ａ〜ｃ、図９に示したケーブル確認画面３３１ａ〜ｃに対応するヒント画面であり、
（ａ）コンポーネント（Ｄ端子）
（ｂ）Ｓ端子
（ｃ）映像音声端子
これらの３種類の端子を適用したケーブル接続に対応するヒント画面である。
【００８０】
図１０（ａ）には、コンポーネント（Ｄ端子）を利用したケーブル接続に関するヒント情報が示されている。具体的には、例えば、
「音声の出力にはＡＶ接続ケーブルも必要です。コンポーネント映像入出力端子付近の音声端子（赤と白）につないでください。コンポーネント出力の設定は、「Ｄ１」に設定してください」
また、図１０（ｂ）には、Ｓ端子を利用したケーブル接続に関するヒント情報として、
「音声を出力するにはＳ映像ケーブル付きＡＶ接続ケーブルの赤と白のプラグも接続してください。ワイドで撮影した映像が縦長で表示される場合はＴＶタイプの設定を［４：３］にしてください」
また、図１０（ｃ）には、映像音声端子を利用したケーブル接続に関するヒント情報として、
「ワイドで撮影した映像が縦長で表示される場合はＴＶタイプの設定を［４：３］にしてください」
このようなヒント情報が、各端子／ケーブルに対応するヒント情報として提示される。
【００８１】
このように、ケーブル接続ヒント画面３５１ａ〜ｃには、ケーブル接続の具体的な説明や、注意事項、必要となる設定などを含むヒント情報が記述される。ここで、ケーブル接続に際して必要となる設定を行なう必要がある場合には、ケーブル接続ヒント画面に、設定画面に移行するためのアイコンが表示される。具体的には、図１０（ａ）に示すコンポーネント出力アイコン３６１、図１０（ｂ），（ｃ）に示すＴＶタイプアイコン３６２である。
【００８２】
ユーザがこれらの設定アイコンを操作すると、操作情報を制御部が検出し、ケーブル接続時に必要となる機器設定処理画面に移行させる。この移行画面の例を図１１に示す。図１１には情報処理装置の表示部１８０に表示される機器設定画面としてコンポーネント出力設定画面３７１、ＴＶタイプ設定画面３８１を示している。
【００８３】
図１１に示すコンポーネント出力設定画面３７１は、Ｄ端子のあるテレビへの出力を［Ｄ１］とするか［Ｄ３］とするかを選択する設定画面であり、コンポーネント出力設定をＤ１に設定させるためのＤ１設定アイコン３７２、コンポーネント出力設定をＤ３に設定させるためのＤ３設定アイコン３７３が表示され、ユーザはこれらのアイコンのいずれかを選択することで、選択情報が制御部に入力され、制御部の制御の下、機器の設定が実行される。
【００８４】
例えばＨＤ画像の出力には［Ｄ３］の設定を行い、ＳＤ画像の出力を行う場合は［Ｄ１］の設定を行うことになる。これらは、先に説明した図１０のケーブル接続ヒント画面の説明に対応する。すなわち、図１０は、ハイビジョンテレビではないワイドまたは４：３テレビに対するケーブル接続設定であり、ヒントの説明文として、ケーブル接続ヒント画面３５１ａに示すように、コンポーネント出力の設定を［Ｄ１］にするように説明がなされている。
【００８５】
ユーザは、図１１に示すコンポーネント出力設定画面３７１において、Ｄ１設定アイコン３７２を選択することで、選択情報が制御部に伝えられ、制御部の制御の下に機器のコンポーネント出力設定が［Ｄ１］に設定される。
【００８６】
ユーザによるコンポーネント出力設定画面３７１におけるＤ１設定アイコン３７２の選択により、コンポーネント出力設定が［Ｄ１］に設定された後、ユーザは、コンポーネント出力設定画面３７１に表示された画面戻しアイコン３７４を操作することで、図１０のケーブル接続ヒント画面３５１ａに戻ることができる。
【００８７】
また、図１０（ｂ），（ｃ）に示すケーブル接続ヒント画面３５１ｂ，ｃにおいて、ＴＶタイプアイコン３６２を操作すると、操作情報を制御部が検出し、図１１に示すＴＶタイプ設定画面３８１を表示部１８０に表示する。
【００８８】
図１１に示すＴＶタイプ設定画面３８１は、出力先としてのＴＶのタイプを選択させる画面であり、出力先のテレビの縦横比が［１６：９］であるか［４：３］であるかを確認させて選択させる設定画面であり、ＴＶタイプ設定を［１６：９］に設定させるための１６：９設定アイコン３８２、ＴＶタイプ設定を［４：３］に設定させるための４：３設定アイコン３８３が表示され、ユーザはこれらのアイコンのいずれかを選択することで、選択情報が制御部に入力され、制御部の制御の下、機器の設定が実行される。
【００８９】
ユーザによるＴＶタイプ設定画面３８１におけるいずれかのＴＶタイプ設定アイコンの選択により、出力設定が１６：９または４：３に設定された後、ユーザは、ＴＶタイプ設定画面３８１に表示された画面戻しアイコン３８４を操作することで、図１０のケーブル接続ヒント画面３５１ｂまたはケーブル接続ヒント画面３５１ｃに戻ることができる。
【００９０】
さらに、図１０に示すケーブル接続ヒント画面３５１に示される画面戻しアイコン３６３を操作することで、図９のケーブル確認画面３３１に戻ることができる。図９のケーブル確認画面３３１において、ＯＫアイコン３４３を操作すると、制御部は操作情報に基づいて、接続完了確認画面を表示部１８０に表示する。
【００９１】
接続完了確認画面の表示例は、先に図７を参照して説明した通りであり、正しく接続が行なわれたか否かのユーザによる確認入力用のアイコンとして［はいアイコン］２９１、［いいえアイコン］２９２が表示され、ユーザはケーブル接続の確認に基づいて、いずれかのアイコンに対する操作を行なう。
【００９２】
操作情報は制御部に入力され、制御部は、操作に応じた処理を行なう。例えば［はいアイコン］２９１の操作が検出された場合は、正しくケーブル接続が行なわれたと判定し、［テレビ接続ガイド］の機能を終了する。例えば、表示画面１８０に対するガイド表示を消去する。あるいは、メニュー表示に戻る等の処理を行なう。一方、［いいえアイコン］２９２の操作が検出された場合は、正しくケーブル接続が行なわれなかったと判定し、再度、図９に示すケーブル確認画面の表示に戻る処理を実行する。
【００９３】
次に、図１２〜図１５に示すフローチャートを参照して本発明の情報処理装置において実行するケーブル接続ガイド処理のシーケンスについて説明する。このフローに従った処理は、情報処理装置（撮像装置）１０１内の記憶部に記録されたプログラムに従って情報処理装置（撮像装置）１０１内の制御部の制御の下に実行される。
【００９４】
まず、ステップＳ１０１において、ＴＶ接続ガイド初期画面を表示部に表示する。この表示画面は、先に図２を参照して説明した接続されるテレビの種類を選択する画面であり、
［ハイビジョンテレビ］であるか、
［ワイドまたは４：３テレビ］であるか、
これらの２つのカテゴリのいずれに属するかを入力させる画面である。
【００９５】
情報処理装置の制御部は、ステップＳ１０２において、ユーザ入力が、［ハイビジョンテレビ］、または［ワイドまたは４：３テレビ］のいずれを入力したかを判断し、［ハイビジョンテレビ］が選択された場合は、ステップＳ１１１以下の処理、［ワイドまたは４：３テレビ］が選択された場合は、ステップＳ１５１以下の処理を実行する。
【００９６】
まず、ステップＳ１１１〜Ｓ１１４の［ハイビジョンテレビ］が選択された場合の処理について説明する。ステップＳ１０２において、ユーザ入力が、［ハイビジョンテレビ］であると判定した場合、情報処理装置の制御部は、ステップＳ１１１において、ハイビジョン対応の端子選択画面を表示する。これは、先に図３を参照して説明した接続機器の端子イメージデータと、各端子を利用した場合の説明データが含まれる画面であり、例えば、
（ａ）コンポーネント（Ｄ端子）
（ｂ）ＨＤＭＩ端子
（ｃ）コンポーネント（ピン端子）
これらの３種類の端子に対応する３種類の端子選択画面を、例えば切り替え可能な態様あるいは一覧表示態様で表示する。
【００９７】
ステップＳ１１２において、制御部は、ステップＳ１１１で表示した端子選択画面上のＯＫアイコンが操作されたか否かを検出し、ＯＫアイコンが操作されたことを検出すると、ステップＳ１１３に進み、ハイビジョン対応のケーブル確認画面を表示する。
【００９８】
このハイビジョン対応のケーブル確認画面は、先に図４を参照して説明したケーブル確認画面２３１ａ〜ｃであり、接続に適用するケーブルおよびケーブルの両端に接続すべき機器の端子を対応付けたケーブル接続イメージデータを含む画面である。ユーザは、ケーブル接続イメージデータに表示されたケーブルを選択し、さらに、ケーブル接続イメージデータに表示されたテレビや撮像装置の端子の形状を確認するこが可能であり、ケーブル選択や、接続方向について何ら迷うことなく正しいケーブル接続を行なうことができる。
【００９９】
ステップＳ１１４では、制御部は、ステップＳ１１３で表示したケーブル確認画面上の戻るアイコンが操作されたか否かを検出し、戻るアイコンが操作された場合は、ステップＳ１１１に戻り、端子選択画面を表示する。ステップＳ１１４において、戻るアイコンが操作されていない場合は、ステップＳ１１５に進む。
【０１００】
一方、ステップＳ１０２において、ユーザ入力が、［ワイドまたは４：３テレビ］が選択されたと判定した場合は、ステップＳ１５１以下の処理を実行する。この場合、制御部は、ステップＳ１５１において、ワイドまたは４：３テレビ対応の端子選択画面を表示する。これは、先に図８を参照して説明した接続機器の端子イメージデータと、各端子を利用した場合の説明データが含まれる画面であり、例えば、
（ａ）コンポーネント（Ｄ端子）
（ｂ）Ｓ端子
（ｃ）映像音声端子
これらの３種類の端子に対応する３種類の端子選択画面を、例えば切り替え可能な態様あるいは一覧表示態様で表示する。
【０１０１】
ステップＳ１５２において、制御部は、ステップＳ１５１で表示した端子選択画面上のＯＫアイコンが操作されたか否かを検出し、ＯＫアイコンが操作されたことを検出すると、ステップＳ１５３に進み、ワイドまたは４：３テレビ対応のケーブル確認画面を表示する。
【０１０２】
このワイドまたは４：３テレビ対応のケーブル確認画面は、先に図９を参照して説明したケーブル確認画面３３１ａ〜ｃであり、接続に適用するケーブルおよびケーブルの両端に接続すべき機器の端子を対応付けたケーブル接続イメージデータを含む画面である。ユーザは、ケーブル接続イメージデータに表示されたケーブルを選択し、さらに、ケーブル接続イメージデータに表示されたテレビや撮像装置の端子の形状を確認するこが可能であり、ケーブル選択や、接続方向について何ら迷うことなく正しいケーブル接続を行なうことができる。
【０１０３】
ステップＳ１５４では、制御部は、ステップＳ１５３で表示したケーブル確認画面上の戻るアイコンが操作されたか否かを検出し、戻るアイコンが操作された場合は、ステップＳ１５１に戻り、端子選択画面を表示する。ステップＳ１５４において、戻るアイコンが操作されていない場合は、ステップＳ１５５に進む。
【０１０４】
次に、図１３のフローに進み、次の処理シーケンスについて説明する。まず、ハイビジョン対応テレビを出力先として選択した場合の処理ステップＳ１１５〜Ｓ１１９について説明する。
【０１０５】
ステップＳ１１５では、ステップＳ１１３において表示した図４に示すケーブル確認画面２３１ａ〜ｃにおいて、ＯＫアイコンが操作されたか否かを検出する。ＯＫアイコンが操作された場合は、ステップＳ１２４に進む。ステップＳ１２４は、図７に示す接続完了確認画面の表示に伴う処理であり、後段で、図１５を参照して説明する。
【０１０６】
ステップＳ１１５において、ステップＳ１１３において表示した図４に示すケーブル確認画面２３１ａ〜ｃでＯＫアイコンが操作されていない場合、ステップＳ１１６に進みヒント要求操作、すなわち、図４に示すケーブル確認画面２３１ａ〜ｃでヒント呼び出しアイコン２４２が操作されたか否かを検出する。ヒント呼び出しアイコン２４２が操作されたことを検知すると、ステップＳ１１７に進み、ケーブル接続ヒント画面を表示する。
【０１０７】
このステップＳ１１７において表示されるケーブル接続ヒント画面は、先に図５を参照して説明したケーブル接続ヒント画面２５１ａ〜ｃである。先に図５を参照して説明したように、ケーブル接続の具体的な説明や、注意事項、必要となる設定などを含むヒント情報が表示される。
【０１０８】
ステップＳ１１８において、戻る操作がなされたか否かを検出し、戻る操作がなされたことが検出された場合は、ステップＳ１１３、すなわち、ハイビジョン対応のケーブル確認画面（図４参照）の表示画面に戻る。
【０１０９】
また、ステップＳ１１９において、ケーブル接続ヒント画面２５１ａ〜ｃで、設定要求操作、すなわち、図５を参照して説明したコンポーネント出力アイコン２６１が操作されたことを検知した場合は、ステップＳ１２０に進む。
【０１１０】
次に、ワイドまたは４：３テレビを出力先として選択した場合の処理ステップＳ１５５〜Ｓ１５９について説明する。
【０１１１】
ステップＳ１５５では、ステップＳ１５３において表示した図９に示すケーブル確認画面３３１ａ〜ｃにおいて、ＯＫアイコンが操作されたか否かを検出する。ＯＫアイコンが操作された場合は、ステップＳ１６４に進む。ステップＳ１６４は、図７に示す接続完了確認画面の表示に伴う処理であり、後段で、図１５を参照して説明する。
【０１１２】
ステップＳ１５５において、ステップＳ１５３において表示した図９に示すケーブル確認画面３３１ａ〜ｃでＯＫアイコンが操作されていない場合、ステップＳ１５６に進みヒント要求操作、すなわち、図９に示すケーブル確認画面３３１ａ〜ｃでヒント呼び出しアイコン３４２が操作されたか否かを検出する。ヒント呼び出しアイコン２４２が操作されたことを検知すると、ステップＳ１５７に進み、ケーブル接続ヒント画面を表示する。
【０１１３】
このステップＳ１５７において表示されるケーブル接続ヒント画面は、先に図１０を参照して説明したケーブル接続ヒント画面３５１ａ〜ｃである。先に図１０を参照して説明したように、ケーブル接続の具体的な説明や、注意事項、必要となる設定などを含むヒント情報が表示される。
【０１１４】
ステップＳ１５８において、戻る操作がなされたか否かを検出し、戻る操作がなされたことが検出された場合は、ステップＳ１５３、すなわち、ワイドまたは４：３テレビ対応のケーブル確認画面（図９参照）の表示画面に戻る。
【０１１５】
また、ステップＳ１５９において、ケーブル接続ヒント画面３５１ａ〜ｃで、設定要求操作、すなわち、図１０を参照して説明した、図１０（ａ）に示すコンポーネント出力アイコン３６１、図１０（ｂ），（ｃ）に示すＴＶタイプアイコン３６２が操作されたことを検知した場合は、ステップＳ１６０に進む。
【０１１６】
次に、図１４に示すフローを参照して後続する処理シーケンスについて説明する。まず、ハイビジョン対応テレビを出力先として選択した場合の処理ステップＳ１２０〜Ｓ１２３について説明する。
【０１１７】
ステップＳ１２０は、図１３に示すフローのステップＳ１１９において、ケーブル接続ヒント画面２５１ａ〜ｃで設定要求操作、すなわち、図５を参照して説明したコンポーネント出力アイコン２６１が操作されたことを検知した場合の処理であり、この場合は、ステップＳ１２０において、機器設定画面を表示する。これは、先に図６を参照して説明したコンポーネント出力設定画面２７１に相当し、例えばＤ端子のあるテレビへの出力を［Ｄ１］とするか［Ｄ３］とするかを選択する設定画面の表示がなされる。
【０１１８】
制御部は、ステップＳ１２１において、機器設定画面において設定要求入力があったか否かを判定する。例えばＤ１あるいはＤ３の設定要求の有無を検出する。ステップＳ１２１において、機器設定入力があったと判定した場合は、ステップＳ１２２において、入力要求に応じた機器設定処理を実行する。
【０１１９】
次に、ステップＳ１２３において、機器設定画面において戻る操作があったか否かを検出する。すなわち、画面戻しアイコンの操作の有無を検出し、画面戻しアイコンの操作があったことが検出された場合、ステップＳ１１７、すなわち、ハイビジョン対応のヒント画面に戻る。
【０１２０】
次に、図１４に示すワイドまたは４：３テレビを出力先として選択した場合の処理ステップＳ１６０〜Ｓ１６３について説明する。
【０１２１】
ステップＳ１６０は、図１３に示すフローのステップＳ１５９において、ケーブル接続ヒント画面３５１ａ〜ｃで設定要求操作、すなわち、図１０を参照して説明したコンポーネント出力アイコン３６１またはＴＶタイプアイコン３６２が操作されたことを検知した場合の処理であり、この場合は、ステップＳ１６０において、機器設定画面を表示する。これは、先に図１１を参照して説明したコンポーネント出力設定画面３７１またはＴＶタイプ設定画面３８１に相当する。
【０１２２】
制御部は、ステップＳ１６１において、機器設定画面において設定要求入力があったか否かを判定する。例えば出力設定としてのＤ１あるいはＤ３の設定要求、またはＴＶタイプ設定としての１６：９または４：３の設定要求の有無を検出する。ステップＳ１６１において、機器設定入力があったと判定した場合は、ステップＳ１６２において、入力要求に応じた機器設定処理を実行する。
【０１２３】
次に、ステップＳ１６３において、機器設定画面において戻る操作があったか否かを検出する。すなわち、画面戻しアイコンの操作の有無を検出し、画面戻しアイコンの操作があったことが検出された場合、ステップＳ１５７、すなわち、ワイドまたは４：３テレビ対応のヒント画面に戻る。
【０１２４】
最後に、図１５に示すフローを参照して、図７に示す接続完了確認画面の表示に伴う処理について説明する。ハイビジョン対応テレビの接続設定を行っている場合は、図１３に示すステップＳ１１５において、ケーブル確認画面２３１ａ〜ｃにおいて、ＯＫアイコンが操作された場合に、図１５に示すステップＳ１２４に進む。
【０１２５】
ステップＳ１２４では、接続完了確認画面の表示、すなわち、先に図７を参照して説明した接続完了確認画面の表示を行なう。すなわち、図７に示すように、正しく接続が行なわれたか否かのユーザによる確認入力用のアイコンとして［はいアイコン］２９１、［いいえアイコン］２９２が表示され、ユーザはケーブル接続の確認に基づいて、いずれかのアイコンに対する操作を行なう。
【０１２６】
操作情報は制御部に入力され、ステップＳ１２５において、制御部は、ユーザ入力が「はい」であるか「いいえ」であるかを判定する。［はい］の操作が検出された場合は、正しくケーブル接続が行なわれたと判定し、［テレビ接続ガイド］の機能を終了する。例えば、表示画面１８０に対するガイド表示を消去する。あるいは、メニュー表示に戻る等の処理を行なう。
【０１２７】
一方、［いいえ］の操作が検出された場合は、正しくケーブル接続が行なわれなかったと判定し、再度、ステップＳ１１３に戻り、図４に示すケーブル確認画面の表示に戻る処理を実行する。
【０１２８】
一方、ワイドまたは４：３テレビを出力先として選択した場合の接続設定を行っている場合は、図１３に示すステップＳ１５５において、ケーブル確認画面３３１ａ〜ｃにおいて、ＯＫアイコンが操作された場合に、図１５に示すステップＳ１６４に進む。
【０１２９】
ステップＳ１６４では、図７を参照して説明した接続完了確認画面の表示を行ない、ステップＳ１６５において、制御部は、接続完了確認画面に対するユーザ入力が「はい」であるか「いいえ」であるかを判定する。［はい］の操作が検出された場合は、正しくケーブル接続が行なわれたと判定し、［テレビ接続ガイド］の機能を終了する。例えば、表示画面１８０に対するガイド表示を消去する。あるいは、メニュー表示に戻る等の処理を行なう。一方、［いいえ］の操作が検出された場合は、正しくケーブル接続が行なわれなかったと判定し、再度、ステップＳ１５３に戻り、図９に示すケーブル確認画面の表示に戻る処理を実行する。
【０１３０】
このように、本発明の情報処理装置では、
（Ａ）ケーブル接続機器（例えばテレビ）の種類の選択画面の表示（図２）、
（Ｂ）ケーブル接続機器に設定された端子の形状をイメージデータとして含む端子選択画面の表示（図３、図８）
（Ｃ）端子に対応するケーブルのイメージデータと接続端子の対応を示すケーブル確認画面の表示（図４、図９）
さらに、
（Ｄ）ヒント画面（図５、図１０）
これらのガイド画面を、順次、提示する構成としたので、ユーザは、ケーブル接続機器（テレビなど）の種類および端子形状を選択してガイドに従った処理を行なうことで、容易に確実なケーブル接続を行なうことが可能となる。
【０１３１】
最後に、本発明の情報処理装置の構成について、図１６、図１７を参照して説明する。図１６は、上述した処理を実行する機能構成を説明する機能ブロック図であり、図１７は、本発明の情報処理装置の一例としての撮像装置のハードウェア構成例を示すハードウェア構成図である。
【０１３２】
まず、図１６を参照して、本発明の情報処理装置の機能について説明する。図１６に示すブロック図は、上述した処理を実行するために必要となる機能構成を示すブロック図である。図１６に示すように、本発明の情報処理装置４００は、制御部４０１、表示部４０２、入力部４０３、端子等からなるインタフェース４０４を有し、インタフェース４０４に接続されたケーブルを介して外部接続機器４２０と接続される。
【０１３３】
制御部４０１は、例えばＣＰＵであり、図示しないメモリに格納されたプログラムに従って、上述したケーブル接続ガイド情報の表示部４０２に対する表示処理、入力部４０３を介するユーザ入力情報の検出処理、情報処理装置の様々な設定処理などを行なう。
【０１３４】
表示部４０２は、図２〜図１１を参照して説明した様々なケーブル接続ガイド情報の表示処理を行なうディスプレイである。入力部４０３は、ユーザによる入力、例えば、ＯＫアイコン、画面戻しアイコン、機器設定画面移行アイコンなどのアイコン操作情報などを入力する入力部である。なお、表示部４０２がタッチパネル方式などの入力機能を備えた構成である場合は、入力部４０３は表示部４０２と一体化される。
【０１３５】
制御部４０１は、表示部４０２に、先に図２を参照して説明したケーブルを接続する対象としての機器の種類についての確認画面を表示し、機器の種類を指定するユーザ入力に基づいて、指定機器に対応するガイド情報を選択して表示する処理を実行する。
【０１３６】
さらに、制御部４０１は、情報処理装置４００に対するケーブル接続対象となる外部接続機器４２０に構成され得る複数の外部機器端子の外部機器端子画像データを表示部４０２に表示する。すなわち、図３、図８を参照して説明したように、データ出力先の機器に設定された端子の形状を示すイメージデータと、表示された端子を利用した処理に関する説明文を含む端子選択画面の表示を行なう。さらに、入力部４０３を介して入力するユーザによる外部機器端子の端子選択情報の入力に基づいて、選択端子に適合するケーブルに対応するケーブル形状と、ケーブルの各端部に対応する接続端子の端子形状を示す画像データを含むケーブル確認画面（図４、図９）を表示部４０２に表示する制御を行なう。
【０１３７】
さらに、制御部４０１は、図５、図１０を参照して説明したケーブルを接続する際のヒント情報の表示処理を行い、ヒント情報に機器設定処理の説明が含まれる場合に、該機器設定処理画面に移行するための機器設定画面移行用アイコンをヒント画面に表示して、機器設定画面の表示処理に際して、機器設定要求が入力された場合には要求に応じた機器設定処理を行なう。例えばＤ１、Ｄ３のコンポーネント出力設定などである。
【０１３８】
なお、制御部４０１は、情報処理装置４００による撮影画像または記録部に記録された記録画像が、表示部４０２に表示されている場合、ガイド情報を半透過画像として、表示中の画像に重ねて表示する処理を行なう。
【０１３９】
最後に、図１７を参照して、本発明の情報処理装置としての一実施例である撮像装置の具体的なハードウェア構成例について説明する。図１７に示すように、撮像装置５００は、主な処理ブロックとして、撮像手段５１０、記録再生処理手段５２０、制御手段５３０を有し、さらに、記録メディア５６１、入力部５４１、上述の実施例において説明したガイド情報を表示するための表示部５４２、外部機器との接続を行なう接続部（端子）５４３を有している。
【０１４０】
図１６に示す制御部４０１は、図１７に示す制御手段５３０に相当する。図１６に示す表示部４０２は、図１７に示す表示部５４２に相当し、図１６に示す入力部４０３は、図１７に示す入力部５４１に対応する。
【０１４１】
撮像手段５１０は、光学ブロック５１１と、カメラ制御部５１２と、信号変換部５１３と、撮像信号処理部５１４と、音声入力部５１５と、音声信号処理部５１６とを備える。光学ブロック５１１は、内部に、被写体を撮像するためのレンズ群、絞り調整機構、フォーカス調整機構、ズーム機構、シャッター機構、フラッシュ機構、および、手ぶれ補正機構などを備える。カメラ制御部５１２は、制御手段５３０から制御信号を入力し、光学ブロック５１１に供給する制御信号を生成する。そして、生成した制御信号を光学ブロック５１１に供給して、ズーム制御、シャッター制御、および、露出制御などの制御を行なう。
【０１４２】
信号変換部５１３は、例えばＣＣＤ（Ｃｈａｒｇｅ  Ｃｏｕｐｌｅｄ  Ｄｅｖｉｃｅ）などの撮像素子により構成され、その結像面に、光学ブロック５１１を通じた像が結像される。この信号変換部５１３は、シャッター操作に応じて制御部５３０から供給される画像取り込みタイミング信号を受けて、結像面に結像されている被写体像を撮像信号に変換し、撮像信号処理部５１４に供給する。
【０１４３】
撮像信号処理部５１４は、制御部５３０からの制御信号に基づいて、撮像信号についてのガンマ補正やＡＧＣ（Ａｕｔｏ  Ｇａｉｎ  Ｃｏｎｔｒｏｌ）などの処理を行なうとともに、撮像信号をデジタル信号としての画像信号に変換する処理も行なう。音声入力部５１５は、撮影時の被写体周辺の音声を収集する。この音声入力部５１５からの音声信号は音声信号処理部５１６に供給される。音声信号処理部５１６は、制御部３０からの制御信号に基づいて、音声信号についての補正やＡＧＣなどの処理を行なうとともに、音声信号をデジタル信号に変換する処理も行なう。
【０１４４】
記録再生処理手段５２０は、符号化／復号部５２１と、バッファメモリ５２２と、記録部インタフェース５２３とを備える。バッファメモリ５２２は、例えばＳＤＲＡＭなどにより構成され、符号化／復号部５２１における符号化または復号のための作業領域として利用される。符号化／復号部５２１は、撮像手段５１０からの画像信号および音声信号や追加記録情報を符号化し多重化して圧縮データに変換する符号化機能を有する。一方、符号化／復号部５２１は、圧縮データから画像信号および音声信号や追加記録情報を分離して復号する復号機能を有する。また、符号化／復号部５２１は、制御手段５３０からの制御信号に基づき、撮像信号処理部５１４からの画像信号に対して、自動ホワイトバランス制御、露出補正制御、デジタルズーム倍率に応じた拡大制御などをさらに行なう。
【０１４５】
記録部インタフェース５２３は、符号化／復号部５２１から圧縮データを受けて記録メディア５６１に書き込む。また、記録部インタフェース５２３は、記録メディア５６１から圧縮データを読み出して符号化／復号部５２１、あるいは制御手段５３０に供給する。
【０１４６】
制御手段５３０は、入出力Ｉ／Ｆ５３６を介して接続部（端子）５４３に装着されたケーブルを介して接続された外部機器としてのたとえばテレビに符号化／復号部５２１において復号されたデータを出力する。
【０１４７】
制御手段５３０は、各種の制御プログラムを実行するＣＰＵ５３１と、ＲＯＭ（Ｒｅａｄ  Ｏｎｌｙ  Ｍｅｍｏｒｙ）５３２と、ＲＡＭ（Ｒａｎｄｏｍ  Ａｃｃｅｓｓ  Ｍｅｍｏｒｙ）５３３と、入力部５４１を接続するための操作入力インタフェース５３４と、前述した様々なガイド情報の表示を行なう表示部５４２の表示制御を行なう表示制御部５３５と、接続部５４３を利用したデータ入出力のための入出力Ｉ／Ｆ５３６と、例えば、撮影時刻などを計測するための時計回路５３７がシステムバスを介して接続されることにより構成される。表示部５４２におけるユーザの操作情報は、操作入力インタフェース５３４を介してＣＰＵ５３１に入力され、入力情報に基づく制御がなされる。
【０１４８】
制御手段５３０は、先に図２〜図１１を参照して説明した様々なケーブル接続ガイド情報を表示部５４２に表示し、入力部５４１からの入力に基づいて、表示情報の切り替え、機器の設定などを実行する。
【０１４９】
ＣＰＵ５３１は制御手段５３０全体の処理を司るものであり、作業領域としてＲＡＭ５３３を使用する。ＲＯＭ５３２には、撮像手段５１０を制御するためのプログラムや、画像信号や音声信号の記録制御および再生制御、前述のケーブル接続ガイド情報の表示処理などを実行するためのプログラムが記録されている。
【０１５０】
操作入力インタフェース５３４には、入力部５４１からのユーザ入力、たとえば、上述したケーブル接続ガイド情報の表示に対応するユーザの入力の他、撮像装置における各種の操作部、例えば、ズーム調整キー、露出調整のためのキー、シャッターキー、動画撮影用キーなどの複数の操作部からの入力情報が入力される。
【０１５１】
表示制御部５３５に接続される表示部５４２は、例えばＬＣＤ（Ｌｉｑｕｉｄ  Ｃｒｙｓｔａｌ  Ｄｉｓｐｌａｙ）などにより構成され、制御手段５３０の制御の下に、撮像手段５１０からの画像信号や、記録媒体５６０から読み出された画像信号を表示するとともに、前述したケーブル接続ガイド情報の表示が行なわれる。なお、表示部５４２は、ユーザの操作情報を入力可能としたユーザインタフェースとして設定可能である。
【０１５２】
なお、図１７に示す撮像装置５００は、本発明の情報処理装置の１つの例であり、先にも説明したように、本発明は、撮像装置に限らず、ケーブル接続によるデータ入出力を行なう機器において適用可能であり、本発明の情報処理装置は、例えばビデオやＤＶＤ再生機器など、データの入出力を行なう機器全般を含むものである。
【０１５３】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【０１５４】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【０１５５】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【０１５６】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【０１５７】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０１５８】
以上、説明したように、本発明の一実施例の構成によれば、ケーブル接続処理のガイド情報の表示処理において、ケーブルの接続対象となる複数の端子の形状を示す端子画像データを表示し、ユーザによる端子選択情報の入力に基づいて、選択端子に適合するケーブルに対応するケーブル形状を示すケーブル画像データを表示する構成としたので、ユーザは迷うことなく正しいケーブルを選択し、正しい接続を行なうことが可能となる。
【０１５９】
本発明の一実施例に係る情報処理装置では、
（Ａ）ケーブル接続機器（例えばテレビ）の種類の選択画面の表示、
（Ｂ）ケーブル接続機器に設定された端子の形状をイメージデータとして含む端子選択画面の表示、
（Ｃ）端子に対応するケーブルのイメージデータと接続端子の対応を示すケーブル確認画面の表示、
さらに、（Ｄ）ヒント画面、
これらのガイド画面を、順次、提示する構成としたので、ユーザは、ケーブル接続機器（テレビなど）の種類および端子形状を選択してガイドに従った処理を行なうことで、容易に確実なケーブル接続を行なうことを可能とした情報処理装置が提供される。
【図面の簡単な説明】
【０１６０】
【図１】本発明の情報処理装置の一実施例としての撮像装置とのケーブル接続機器であるテレビの構成およびケーブル接続処理例について説明する図である。
【図２】本発明の情報処理装置の表示部に表示されるテレビ接続ガイド初期画面の構成例について説明する図である。
【図３】本発明の情報処理装置の表示部に表示される端子選択画面の構成例について説明する図である。
【図４】本発明の情報処理装置の表示部に表示されるケーブル確認画面の構成例について説明する図である。
【図５】本発明の情報処理装置の表示部に表示されるケーブル接続ヒント画面の構成例について説明する図である。
【図６】本発明の情報処理装置の表示部に表示されるコンポーネント出力設定画面の構成例について説明する図である。
【図７】本発明の情報処理装置の表示部に表示される接続完了確認画面の構成例について説明する図である。
【図８】本発明の情報処理装置の表示部に表示される端子選択画面の構成例について説明する図である。
【図９】本発明の情報処理装置の表示部に表示されるケーブル確認画面の構成例について説明する図である。
【図１０】本発明の情報処理装置の表示部に表示されるケーブル接続ヒント画面の構成例について説明する図である。
【図１１】本発明の情報処理装置の表示部に表示される機器設定画面の構成例について説明する図である。
【図１２】本発明の情報処理装置の実行するケーブル接続ガイド処理シーケンスについて説明するフローチャートを示す図である。
【図１３】本発明の情報処理装置の実行するケーブル接続ガイド処理シーケンスについて説明するフローチャートを示す図である。
【図１４】本発明の情報処理装置の実行するケーブル接続ガイド処理シーケンスについて説明するフローチャートを示す図である。
【図１５】本発明の情報処理装置の実行するケーブル接続ガイド処理シーケンスについて説明するフローチャートを示す図である。
【図１６】本発明の一実施例に係る情報処理装置の機能構成を説明するブロック図ある。
【図１７】本発明の情報処理装置の一実施例に係る撮像装置のハードウェア構成例について説明する図である。
【符号の説明】
【０１６１】
１０１  撮像装置
１０２  テレビ
１０３  端子構成部
１２１  端子
１５１  ケーブル
１８０  表示部
２０１  テレビ接続ガイド初期画面
２０２  端子選択画面
２１１  画面切り替えアイコン
２１２  ＯＫアイコン
２２１  端子イメージデータ
２２２  説明データ
２３１  ケーブル確認画面
２４１  ケーブル接続イメージデータ
２４２  ヒント呼び出しアイコン
２４３  ＯＫアイコン
２５１  ケーブル接続ヒント画面
２６１  コンポーネント出力アイコン
２７１  コンポーネント出力設定画面
２７２  Ｄ１設定アイコン
２７３  Ｄ３設定アイコン
２８１  接続完了確認画面
２９１  はいアイコン
２９２  いいえアイコン
３０２  端子選択画面
３１１  画面切り替えアイコン
３１２  ＯＫアイコン
３２１  端子イメージデータ
３２２  説明データ
３３１  ケーブル確認画面
３４１  ケーブル接続イメージデータ
３４２  ヒント呼び出しアイコン
３４３  ＯＫアイコン
３５１  ケーブル接続ヒント画面
３６１  コンポーネント出力アイコン
３６２  ＴＶタイプアイコン
３７１  コンポーネント出力設定画面
３７２  Ｄ１設定アイコン
３７３  Ｄ３設定アイコン
３８１  ＴＶタイプ設定画面
３８２  １６：９設定アイコン
３８３  ４：３設定アイコン
４００  情報処理装置
４０１  制御部
４０２  表示部
４０３  入力部
４０４  Ｉ／Ｆ（端子）
４２０  外部接続機器
５００  撮像装置
５１０  撮像手段
５１１  光学ブロック
５１２  カメラ制御部
５１３  信号変換部
５１４  映像信号処理部
５１５  音声入力部
５１６  音声信号処理部
５２０  記録再生処理手段
５２１  符号化／復号部
５２２  バッファメモリ
５２３  記録部Ｉ／Ｆ
５３０  制御手段
５３１  ＣＰＵ
５３２  ＲＯＭ
５３３  ＲＡＭ
５３４  操作入力Ｉ／Ｆ
５３５  表示制御部
５３６  入出力Ｉ／Ｆ
５３７  時間計測部
５４１  入力部
５４２  表示部
５４３  接続部（端子）
５６１  記録メディア
【図１２】
2008022194.tif 000003
【図１３】
2008022194.tif 000004
【図１４】
2008022194.tif 000005
【図１５】
2008022194.tif 000006
【図１６】
2008022194.tif 000007
【図１７】
2008022194.tif 000008
【図１】
2008022194.tif 000009
【図２】
2008022194.tif 000010
【図３】
2008022194.tif 000011
【図４】
2008022194.tif 000012
【図５】
2008022194.tif 000013
【図６】
2008022194.tif 000014
【図７】
2008022194.tif 000015
【図８】
2008022194.tif 000016
【図９】
2008022194.tif 000017
【図１０】
2008022194.tif 000018
【図１１】
2008022194.tif 000019